(57)【要約】【課題】そこで、本発明は、化学繊維製品に対しても、増白効果に優れる繊維製品用の液体洗浄剤を提供する。【解決手段】（Ａ）成分：下記一般式（Ｉ）で表される化合物と、（Ｂ）成分：前記（Ａ）成分を除くノニオン界面活性剤と、（Ｃ）成分：蛍光増白剤と、を含有することよりなる。  Ｒ１−ＣＯＯ−Ｙ  ・・・（Ｉ）  ［（Ｉ）式中、Ｒ１は、炭素数５〜２１のアルキル基であり、Ｙは、炭素数３〜１６のアルキル基又は−（Ｒ２Ｏ）ｍ−Ｒ３である。Ｒ２は、炭素数２〜４のアルキレン基であり、ｍは、１〜５の数であり、Ｒ３は、炭素数１〜２２のアルキル基、フェニル基又はベンジル基である。］【選択図】なし【特許請求の範囲】
【請求項１】
（Ａ）成分：下記一般式（Ｉ）で表される化合物と、（Ｂ）成分：前記（Ａ）成分を除くノニオン界面活性剤と、（Ｃ）成分：蛍光増白剤と、を含有することを特徴とする繊維製品用の液体洗浄剤。
Ｒ１−ＣＯＯ−Ｙ  ・・・（Ｉ）
［（Ｉ）式中、Ｒ１は、炭素数５〜２１のアルキル基であり、Ｙは、炭素数３〜１６のアルキル基又は−（Ｒ２Ｏ）ｍ−Ｒ３である。Ｒ２は、炭素数２〜４のアルキレン基であり、ｍは、１〜５の数であり、Ｒ３は、炭素数１〜２２のアルキル基、フェニル基又はベンジル基である。］
【請求項２】
さらに、（Ｄ）成分：アニオン界面活性剤及び芳香族化合物から選択される１種以上を含有することを特徴とする請求項１に記載の繊維製品用の液体洗浄剤。
【請求項３】
前記（Ｂ）成分として、（ｂ１）成分：下記一般式（ＩＩ−１）で表されるノニオン界面活性剤と、前記（ｂ１）成分以外の（Ｂ）成分とを併有することを特徴とする請求項１又は２に記載の繊維製品用の液体洗浄剤。
Ｒ２０−Ｘ−［（ＥＯ）ｘ／（ＰＯ）ｙ］−Ｒ２１    ・・・（ＩＩ−１）
［（ＩＩ−１）式中、Ｒ２０は炭素数８〜１８のアルキル基又はアルケニル基である。ＸはＯ、ＣＯＯ又はＣＯＮＨである。Ｒ２１は水素原子、炭素数１〜６のアルキル基、又は炭素数２〜６のアルケニル基である。ｘはＥＯの平均繰返し数を表し、２以上１０未満の数である。ｙはＰＯの平均繰返し数を表し、０〜６の数である。ＥＯはオキシエチレン基、ＰＯはオキシプロピレン基を表し、ＥＯとＰＯとは混在して配列してもよい。］
【発明の詳細な説明】
【技術分野】
【０００１】
本発明は、繊維製品用の液体洗浄剤に関する。
【背景技術】
【０００２】
繊維製品用の液体洗浄剤の分野では、地球環境に配慮した製品開発が求められている。
例えば、洗濯一回当たりの使用量を低減したり、容器を小型化して物流におけるエネルギーを削減したりすることが求められている。
こうした、要求に対して、液体洗浄剤の分野では、界面活性剤濃度を高めた組成（濃縮化）の開発が進められている。
加えて、繊維製品用の液体洗浄剤には、洗浄力の向上に加え、洗濯後の繊維製品の見た目の白さを高められること（増白効果）が求められている。
【０００３】
従来、増白効果を遡及した液体洗浄剤として、特定のノニオン界面活性剤と、アニオン界面活性剤と、特定のビフェニル型蛍光増白剤とを含有する液体洗浄剤組成物が提案されている（例えば、特許文献１）。
また、例えば、蛍光増白剤と、特定のポリエーテル型非イオン界面活性剤と、陰イオン界面活性剤と、特定のキレート剤とをそれぞれ特定量含有する液体洗浄剤組成物が提案されている（例えば、特許文献２）。
【先行技術文献】
【特許文献】
【０００４】
【特許文献１】国際公開第２０１０／０２９７４９号
【特許文献２】特開２００８−１８９７５４号公報
【発明の概要】
【発明が解決しようとする課題】
【０００５】
ところで、近年、繊維製品（特に衣料）としては、化学繊維製のものが増加傾向にあり、例えば、ブラウスやワイシャツ等には、ポリエステル等の化学繊維が用いられたものがある。ポリエステル製等の化学繊維製品には、液体洗浄剤に従来汎用されている蛍光増白剤が吸着しにくい。このため、特許文献１〜２の液体洗浄剤を用いて化学繊維製品を洗浄しても、満足できる増白効果を得にくかった。
そこで、本発明は、化学繊維製品に対しても、増白効果に優れる繊維製品用の液体洗浄剤を目的とする。
【課題を解決するための手段】
【０００６】
本発明者らは、鋭意検討した結果、特定のエステル化合物とノニオン界面活性剤と蛍光増白剤とを併用することで、化学繊維製品に対しても、良好な増白効果を奏することを見出し、本発明に至った。
【０００７】
即ち、本発明の繊維製品用の液体洗浄剤は、（Ａ）成分：下記一般式（Ｉ）で表される化合物と、（Ｂ）成分：前記（Ａ）成分を除くノニオン界面活性剤と、（Ｃ）成分：蛍光増白剤と、を含有することを特徴とする。
Ｒ１−ＣＯＯ−Ｙ  ・・・（Ｉ）
［（Ｉ）式中、Ｒ１は、炭素数５〜２１のアルキル基であり、Ｙは、炭素数３〜１６のアルキル基又は−（Ｒ２Ｏ）ｍ−Ｒ３である。Ｒ２は、炭素数２〜４のアルキレン基であり、ｍは、１〜５の数であり、Ｒ３は、炭素数１〜２２のアルキル基、フェニル基又はベンジル基である。］
さらに、（Ｄ）成分：アニオン界面活性剤及び芳香族化合物から選択される１種以上を含有することが好ましく、前記（Ｂ）成分として、（ｂ１）成分：下記一般式（ＩＩ−１）で表されるノニオン界面活性剤と、前記（ｂ１）成分以外の（Ｂ）成分とを併有することが好ましい。
Ｒ２０−Ｘ−［（ＥＯ）ｘ／（ＰＯ）ｙ］−Ｒ２１    ・・・（ＩＩ−１）
［（ＩＩ−１）式中、Ｒ２０は炭素数８〜１８のアルキル基又はアルケニル基である。ＸはＯ、ＣＯＯ又はＣＯＮＨである。Ｒ２１は水素原子、炭素数１〜６のアルキル基、又は炭素数２〜６のアルケニル基である。ｘはＥＯの平均繰返し数を表し、２以上１０未満の数である。ｙはＰＯの平均繰返し数を表し、０〜６の数である。ＥＯはオキシエチレン基、ＰＯはオキシプロピレン基を表し、ＥＯとＰＯとは混在して配列してもよい。］
【発明の効果】
【０００８】
本発明の繊維製品用の液体洗浄剤によれば、化学繊維製品に対しても、増白効果に優れる。
【発明を実施するための形態】
【０００９】
（繊維製品用の液体洗浄剤）
本発明の繊維製品用の液体洗浄剤（以下、単に液体洗浄剤ということがある）は、（Ａ）成分：下記一般式（Ｉ）で表される化合物と、（Ｂ）成分：前記（Ａ）成分を除くノニオン界面活性剤と、（Ｃ）成分：蛍光増白剤とを含有するものである。
Ｒ１−ＣＯＯ−Ｙ  ・・・（Ｉ）
［（Ｉ）式中、Ｒ１は、炭素数５〜２１のアルキル基であり、Ｙは、炭素数３〜１６のアルキル基又は−（Ｒ２Ｏ）ｍ−Ｒ３である。Ｒ２は、炭素数２〜４のアルキレン基であり、ｍは、１〜５の数であり、Ｒ３は、炭素数１〜２２のアルキル基、フェニル基又はベンジル基である。］
【００１０】
液体洗浄剤の粘度（２５℃）は、特に限定されないが、８０ｍＰａ・ｓ以下が好ましい。粘度が上記上限値以下であれば、塗布洗浄の際に、被洗浄物である繊維製品への浸透性が高まる。
なお、液体洗浄剤の粘度は、Ｂ型粘度計（ＴＯＫＩＭＥＣ社製）により測定される値（測定条件：ロータＮｏ．２、回転数３０ｒｐｍ、１０回転後の粘度）である。
【００１１】
液体洗浄剤のｐＨは４〜９が好ましく、６〜９がより好ましい。ｐＨが上記範囲内であれば、塗布洗浄力がより高まる。ｐＨ（２５℃）は、ｐＨメーター（ＨＭ−３０Ｇ、東亜ディーケーケー株式会社製）等により測定される値を示す。
【００１２】
＜（Ａ）成分：（Ｉ）式で表される化合物＞
（Ａ）成分は、上記（Ｉ）式で表される化合物、即ちエステル化合物である。本発明の液体洗浄剤は、（Ａ）成分を含有することで、繊維製品、特に化学繊維製品への（Ｃ）成分の吸着を促進して、増白効果を高められる。（Ａ）成分を含有することで、繊維製品への（Ｃ）成分の吸着が促進される理由は定かではないが、（Ａ）成分の疎水的な電荷により（Ｃ）成分の繊維製品への吸着が促進されると考えられる。
加えて、（Ａ）成分は、疎水性汚れ（油汚れ、皮脂汚れ等）との親和性が高く、汚れへの浸透性が高いため、（Ｂ）成分と併用されることで、疎水性汚れに対する塗布洗浄力を高められる。
【００１３】
（Ｉ）式中、Ｒ１は、炭素数５〜２１のアルキル基であり、好ましくは炭素数５〜１３のアルキル基であり、より好ましくは炭素数７〜１１のアルキル基である。炭素数が上記範囲内であれば、充填時抑泡性が高まり、また、原料を容易に入手できる。
Ｒ１は直鎖であってもよく、分岐鎖であってもよい。
（Ｉ）式中、Ｙは、アルキル基又は−（Ｒ２Ｏ）ｍ−Ｒ３である。
Ｙがアルキル基である場合、Ｙは、炭素数３〜１６であり、より好ましくは炭素数６〜１０である。炭素数が上記下限値未満では、疎水性が弱く、十分に増白効果を高められないおそれがあり、炭素数が上記上限値超では疎水性が強くなりすぎて、液安定性が損なわれるおそれがある。
Ｙがアルキル基である場合、Ｙは直鎖であってもよく、分岐鎖であってもよく、中でも、増白効果や塗布洗浄力をより高める観点からは、分岐鎖が好ましい。
Ｙが分岐鎖である場合、側鎖の数は、１〜４が好ましく、１がより好ましい。側鎖の数が上記範囲内であれば、増白効果や塗布洗浄力をより高められる。
好ましいＹとしては、例えば、イソトリデシル基、エチルヘキシル基、ヘキシルデシル基、イソブチル基、イソプロピル基等が挙げられ、中でも、増白効果をより高めたり、液安定性を高める観点からは、エチルヘキシル基がより好ましい。
Ｙがアルキル基である場合、Ｒ１のアルキル基は、炭素数５〜２１であり、炭素数５〜１３が好ましく、７〜１１がより好ましく、７〜９が特に好ましい。Ｒ１の炭素数が上記範囲内であれば、親水性と疎水性とのバランスが良好となり、液安定性を維持しつつ、増白効果をより高められる。
【００１４】
Ｙが−（Ｒ２Ｏ）ｍ−Ｒ３である場合、Ｒ２は、炭素数２〜４のアルキレン基であり、好ましくは炭素数２〜３のアルキレン基であり、より好ましくは炭素数３のアルキレン基である。炭素数が上記範囲内であれば、親水性と疎水性とのバランスが良好となり、液安定性を維持しつつ、増白効果をより高められる。
ｍは１〜５の数であり、２〜５が好ましく、３がより好ましい。上記下限値未満では、疎水性が強くなり、液安定性が損なわれるおそれがあり、上記上限値超では、親水性が強くなりすぎて、増白効果が低下するおそれがある。
Ｒ３は炭素数１〜１６のアルキル基、フェニル基又はベンジル基であり、中でもアルキル基が好ましい。Ｒ３がアルキル基の場合、Ｒ３の炭素数は、１〜１２が好ましく、１〜６がより好ましく、１（即ち、メチル基）がさらに好ましい。上記範囲内であれば、液安定性が良好になる。
Ｙが−（Ｒ２Ｏ）ｍ−Ｒ３である場合、Ｒ１のアルキル基は、炭素数５〜２１であり、炭素数５〜１３が好ましく、炭素数９がより好ましい。Ｒ１の炭素数が上記範囲内であれば、親水性と疎水性とのバランスがより良好となり、液安定性を維持しつつ、増白効果をより高められる。
【００１５】
（Ａ）成分は、従来公知の方法により製造することができる。例えば、Ｙがアルキル基である（Ａ）成分の製造方法としては、例えば、油脂と１価アルコールとのエステル交換による方法、廃食用油と１価アルコールとのエステル交換による方法、脂肪酸を１価アルコールでエステル化する方法、脂肪酸アルキルエステルと１価アルコールとのエステル交換による方法等が挙げられる。（Ａ）成分を構成する脂肪酸残基の炭素数は、例えば、（Ａ）成分を蒸留することにより炭素留分をカットしたり、所望の炭素数を有する脂肪酸アルキルエステルの炭素留分を２種以上配合した原料を用いることにより調整できる。
（Ａ）成分の製造方法に用いられる油脂としては、特に限定されないが、植物油及び動物油が好ましく、植物油がより好ましい。植物油としては、ナタネ油、ひまわり油、大豆油、綿実油、サンフラワー油、ヒマシ油、オリーブ油、とうもろこし油、ヤシ油、パーム油、パーム核油等が挙げられるが、特にこれらに限定されるものではない。中でも、炭素数６〜１４の脂肪酸の含有量が多い点でパーム核油、ヤシ油が好ましい。動物油としては、牛脂、豚脂、魚油等が挙げられるが、特にこれらに限定されるものではない。
また、（Ａ）成分の製造方法に用いられるアルコールとしては、特に限定されないが、プロクター・アンド・ギャンブル社製のＣＯ−１２１４（商品名）又はＣＯ−１２７０（商品名）等の天然アルコールや、三菱化学株式会社製のＤｉａｄｏｌ（商品名、Ｃ１３、Ｃは炭素数を示す。以下同様。）、Ｓｈｅｌｌ社製のＮｅｏｄｏｌ（商品名、Ｃ１２とＣ１３との混合物）、Ｓａｓｏｌ社製のＳａｆｏｌ２３（商品名、Ｃ１２とＣ１３との混合物）等のアルコール等が好ましい。
【００１６】
このような（Ａ）成分としては、例えば、カプリル酸２−エチルヘキシル、ミリスチン酸イソトリデシル、ドデカン酸２−ヘキシルデシル、カプリル酸プロピレングリコールメチルエーテル、カプリル酸ジプロピレングリコールメチルエーテル、カプリル酸トリプロピレングリコールメチルエーテル、カプリン酸プロピレングリコールメチルエーテル、カプリン酸ジプロピレングリコールメチルエーテル、カプリン酸トリプロピレングリコールメチルエーテル、ラウリン酸プロピレングリコールメチルエーテル、ラウリン酸ジプロピレングリコールメチルエーテル、ラウリン酸トリプロピレングリコールメチルエーテル、カプリル酸エチレングリコールメチルエーテル、カプリル酸ジエチレングリコールメチルエーテル、カプリル酸トリエチレングリコールメチルエーテル、カプリン酸エチレングリコールメチルエーテル、カプリン酸ジエチレングリコールメチルエーテル、カプリン酸トリエチレングリコールメチルエーテル、ラウリン酸エチレングリコールメチルエーテル、ラウリン酸ジエチレングリコールメチルエーテル、ラウリン酸トリエチレングリコールメチルエーテル、カプリル酸プロピレングリコールエチルエーテル、カプリル酸ジプロピレングリコールエチルエーテル、カプリル酸トリプロピレングリコールエチルエーテル、カプリン酸プロピレングリコールエチルエーテル、カプリン酸ジプロピレングリコールエチルエーテル、カプリン酸トリプロピレングリコールエチルエーテル、ラウリン酸プロピレングリコールエチルエーテル、ラウリン酸ジプロピレングリコールエチルエーテル、ラウリン酸トリプロピレングリコールエチルエーテル、カプリル酸エチレングリコールエチルエーテル、カプリル酸ジエチレングリコールエチルエーテル、カプリル酸トリエチレングリコールエチルエーテル、カプリン酸エチレングリコールエチルエーテル、カプリン酸ジエチレングリコールエチルエーテル、カプリン酸トリエチレングリコールエチルエーテル、ラウリン酸エチレングリコールエチルエーテル、ラウリン酸ジエチレングリコールエチルエーテル、ラウリン酸トリエチレングリコールエチルエーテル等が挙げられる。中でも、カプリル酸２−エチルヘキシル、カプリン酸トリプロピレングリコールメチルエーテルが好ましく、カプリル酸２−エチルヘキシルがより好ましい。このような（Ａ）成分を用いることで、増白効果や塗布洗浄力をさらに高められる。これらの（Ａ）成分は、１種単独で用いられてもよいし、２種以上が組み合わされて用いられてもよい。
【００１７】
液体洗浄剤中の（Ａ）成分の含有量は、０．１〜１０質量％が好ましく、０．５〜８質量％がより好ましく、１〜６質量％がさらに好ましい。上記下限値未満では、繊維製品への（Ｃ）成分の吸着を十分に促進できず、上記上限値超では、液安定性が低下するおそれがある。
【００１８】
＜（Ｂ）成分：（Ａ）成分を除くノニオン界面活性剤＞
（Ｂ）成分は、（Ａ）成分を除くノニオン界面活性剤である。（Ｂ）成分は、液体洗浄剤の洗浄力を発揮する主成分であり、かつ（Ａ）成分を水に可溶化する作用を有する。（Ｂ）成分は特に疎水性汚れに対する洗浄力に優れ、（Ａ）成分と併用されることで、塗布洗浄力がより高まる。
【００１９】
（Ｂ）成分としては、（Ａ）成分を除くものであれば特に限定されず、例えば、以下のものが挙げられる。
（１）炭素数６〜２２、好ましくは８〜１８の脂肪族アルコールに炭素数２〜４のアルキレンオキシドを平均３〜３０モル、好ましくは３〜２０モル、さらに好ましくは５〜２０モル付加したポリオキシアルキレンアルキル（又はアルケニル）エーテル。この中でも、ポリオキシエチレンアルキル（又はアルケニル）エーテル、ポリオキシエチレンポリオキシプロピレンアルキル（又はアルケニル）エーテルが好適である。ここで使用される脂肪族アルコールとしては、第１級アルコールや、第２級アルコールが挙げられる。また、そのアルキル基は、分岐鎖であってもよい。脂肪族アルコールとしては、第１級アルコールが好ましい。
（２）ポリオキシエチレンアルキル（又はアルケニル）フェニルエーテル。
（３）長鎖脂肪酸アルキルエステルのエステル結合間にアルキレンオキシドが付加した脂肪酸アルキルエステルアルコキシレート。
（４）ポリオキシエチレンソルビタン脂肪酸エステル。
（５）ポリオキシエチレンソルビット脂肪酸エステル。
（６）ポリオキシエチレン脂肪酸エステル。
（７）ポリオキシエチレン硬化ヒマシ油。
（８）グリセリン脂肪酸エステル。
これらの（Ｂ）成分は、１種単独で用いられてもよいし、２種以上が組み合わされて用いられてもよい。
【００２０】
（Ｂ）成分を２種以上組み合わせる場合、液体洗浄剤は、下記一般式（ＩＩ−１）で表されるポリオキシアルキレン型ノニオン界面活性剤である（ｂ１）成分と、（ｂ１）成分以外の（Ｂ）成分（以下、（ｂ２）成分ということがある）とを併有することが好ましい。液体洗浄剤は、（ｂ１）成分と（ｂ２）成分とを併有することで、洗浄力、特に塗布洗浄力をさらに高められる。これは、（ｂ１）成分の洗浄力が低いものの、（ｂ１）成分が（ｂ２）成分の汚れへの浸透性を高めるためと考えられる。
【００２１】
Ｒ２０−Ｘ−［（ＥＯ）ｘ／（ＰＯ）ｙ］−Ｒ２１    ・・・（ＩＩ−１）
［（ＩＩ−１）式中、Ｒ２０は炭素数８〜１８のアルキル基又はアルケニル基である。ＸはＯ、ＣＯＯ又はＣＯＮＨである。Ｒ２１は水素原子、炭素数１〜６のアルキル基、又は炭素数２〜６のアルケニル基である。ｘはＥＯの平均繰返し数を表し、２以上１０未満の数である。ｙはＰＯの平均繰返し数を表し、０〜６の数である。ＥＯはオキシエチレン基、ＰＯはオキシプロピレン基を表し、ＥＯとＰＯとは混在して配列してもよい。］
【００２２】
（ＩＩ−１）式中、Ｒ２０は、洗浄力の観点から、炭素数１０〜１８のアルキル基又はアルケニル基が好ましく、直鎖であっても分岐鎖であってもよい。Ｒ２０としては、１級又は２級の高級アルコール、高級脂肪酸、高級脂肪酸アミド等の原料に由来するアルキル基又はアルケニル基が挙げられる。
Ｒ２１がアルキル基である場合、Ｒ２１は、炭素数１〜３のアルキル基が好ましい。Ｒ２１がアルケニル基である場合、Ｒ２１は、炭素数２〜３のアルケニル基が好ましい。
【００２３】
Ｘとしては、Ｏ又はＣＯＯが好ましい。
ＸがＯの場合、（ｂ１）成分は、アルキルエーテル型ノニオン界面活性剤である。ＸがＯの場合、洗浄力の観点から、Ｒ２０の炭素数は１０〜１８が好ましい。また、Ｒ２０は不飽和結合を有していてもよい。また、ＸがＯの場合、Ｒ２１は、水素原子が好ましい。
ＸがＣＯＯの場合、（ｂ１）成分は脂肪酸エステル型ノニオン界面活性剤である。ＸがＣＯＯの場合、洗浄力を高める観点から、Ｒ２０の炭素数は９〜１７が好ましく、１１〜１７がより好ましい。また、Ｒ２０は不飽和結合を有していてもよい。ＸがＣＯＯの場合、Ｒ２１は、炭素数１〜３のアルキル基が好ましい。
【００２４】
（ＩＩ−１）式中、ｘは、好ましくは３〜８の数である。ｘが１０以上では、汚れへの浸透力が低下して、洗浄力のさらなる向上を図りにくく、２未満では、（ｂ１）成分自体の原料臭気が劣化しやすくなる傾向にある。
ｙは、好ましくは０〜３の数であり、より好ましくは０である。ｙが６超では、液体洗浄剤の高温下（５０℃以上）での液安定性が低下する傾向にある。
（ＥＯ）ｘ／（ＰＯ）ｙにおけるＥＯとＰＯとは混在して配列してもよく、ＥＯとＰＯとがランダム状に付加していてもよく、ブロック状に付加していてもよい。
（ｂ１）成分において、ＥＯ又はＰＯの付加モル数分布は、特に限定されず、（ｂ１）成分を製造する際の反応方法によって変動しやすい。例えば、ＥＯ又はＰＯの付加モル数分布は、一般的な水酸化ナトリウム、水酸化カリウム等のアルカリ触媒を用いて、エチレンオキシド又はプロピレンオキシドを疎水基原料（１級又は２級の高級アルコール、高級脂肪酸、高級脂肪酸アミド等）に付加させた際には、比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを該疎水基原料に付加させた場合には、比較的狭い分布となる傾向にある。
【００２５】
（ｂ１）成分としては、例えば、ブテンを３量化して得られるＣ１２アルケンをオキソ法に供して得られるＣ１３アルコールに対して、７モル相当のエチレンオキシドを付加したもの（商品名：Ｌｕｔｅｎｓｏｌ  ＴＯ７、ＢＡＳＦ社製）；ペンタノールをガーベット反応に供して得られるＣ１０アルコールに対して、９モル相当のエチレンオキシドを付加したもの（商品名：Ｌｕｔｅｎｓｏｌ  ＸＰ９０、ＢＡＳＦ社製）；ペンタノールをガーベット反応に供して得られるＣ１０アルコールに対して、７モル相当のエチレンオキシドを付加したもの（商品名：Ｌｕｔｅｎｓｏｌ  ＸＬ７０、ＢＡＳＦ社製の）；ペンタノールをガーベット反応に供して得られるＣ１０アルコールに対して、６モル相当のエチレンオキシドを付加したもの（商品名：Ｌｕｔｅｎｓｏｌ  ＸＡ６０、ＢＡＳＦ社製）；炭素数１２〜１４の第２級アルコールに対して、９モル相当のエチレンオキシドを付加したもの（商品名：ソフタノール９０、株式会社日本触媒製）、炭素数１２〜１４の第２級アルコールに対して、３モル相当のエチレンオキシドを付加したもの（商品名：ソフタノール３０、株式会社日本触媒製）等が挙げられる。
【００２６】
液体洗浄剤中、（ｂ１）成分の含有量は、１〜１５質量％が好ましく、３〜１０質量％がより好ましく、５〜８質量％がさらに好ましい。上記下限値未満では、洗浄力のさらなる向上を図りにくく、上記上限値超では、液体洗浄剤が低温下（５℃以下）で白濁しやすい。
【００２７】
（Ｂ）成分中、（ｂ１）成分の含有量は、１〜３０質量％が好ましく、５〜１５質量％がより好ましい。上記範囲内であれば、（ｂ１）成分による浸透性の向上と、（ｂ２）成分による洗浄力とのバランスが取れ、液体洗浄剤の洗浄力をさらに高められる。
【００２８】
（ｂ１）成分と併有される（ｂ２）成分としては、上述した（１）のポリオキシアルキレンアルキル（又はアルケニル）エーテル又は上述した（３）の脂肪酸アルキルエステルアルコキシレートが好ましく、中でも、下記一般式（ＩＩ−２）で表されるポリオキシアルキレン型ノニオン界面活性剤（以下、（ｂ２−１）成分ということがある）、下記一般式（ＩＩ−３）で表されるポリオキシアルキレン型ノニオン界面活性剤（以下、（ｂ２−２）成分ということがある）がより好ましい。液体洗浄剤は、これらの（ｂ２）成分を含有することで、洗浄力をさらに高められる。
【００２９】
Ｒ１１−Ｘ１−［（ＥＯ）ｓ／（ＰＯ）ｔ］−Ｒ１２    ・・・（ＩＩ−２）
［（ＩＩ−２）式中、Ｒ１１は炭素数８〜１８のアルキル基又はアルケニル基である。Ｘ１はＯ、ＣＯＯ又はＣＯＮＨである。Ｒ１２は水素原子、炭素数１〜６のアルキル基、又は炭素数２〜６のアルケニル基である。ｓはＥＯの平均繰返し数を表し、１０〜２０の数である。ｔはＰＯの平均繰返し数を表し、０〜６の数である。ＥＯはオキシエチレン基、ＰＯはオキシプロピレン基を表し、ＥＯとＰＯとは混在して配列してもよい。］
【００３０】
（ＩＩ−２）式中、Ｒ１１は、洗浄力の観点から、炭素数１０〜１８のアルキル基又はアルケニル基が好ましく、直鎖であっても分岐鎖であってもよい。Ｒ１１としては、１級又は２級の高級アルコール、高級脂肪酸、高級脂肪酸アミド等の原料に由来するアルキル基又はアルケニル基が挙げられる。
Ｒ１２がアルキル基である場合、Ｒ１２は、炭素数１〜３のアルキル基が好ましい。Ｒ１２がアルケニル基である場合、Ｒ１２は、炭素数２〜３のアルケニル基が好ましい。
【００３１】
Ｘ１としては、Ｏ又はＣＯＯが好ましい。
Ｘ１がＯの場合、（ｂ２−１）成分は、アルキルエーテル型ノニオン界面活性剤である。Ｘ１がＯの場合、洗浄力の観点から、Ｒ１１の炭素数は１０〜１８が好ましい。また、Ｒ１１は不飽和結合を有していてもよい。また、Ｘ１がＯの場合、Ｒ１２は、水素原子が好ましい。
Ｘ１がＣＯＯの場合、（ｂ２−１）成分は脂肪酸エステル型ノニオン界面活性剤である。Ｘ１がＣＯＯの場合、洗浄力の観点から、Ｒ１１の炭素数は９〜１７が好ましく、１１〜１７がより好ましい。また、Ｒ１１は不飽和結合を有していてもよい。Ｘ１がＣＯＯの場合、Ｒ１２は、炭素数１〜３のアルキル基が好ましい。
【００３２】
（ＩＩ−２）式中、ｓは、好ましくは１０〜１８の数である。ｓが２０を超えると、ＨＬＢ値が高くなりすぎて、洗浄力が低下する傾向にある。一方、ｓが１０未満であると、洗浄力の向上が不十分になるおそれがある。
ｔは、好ましくは０〜３の数である。ｔが６を超えると、液体洗浄剤の高温下での液安定性が低下する傾向にある。
（ＥＯ）ｓ／（ＰＯ）ｔにおけるＥＯとＰＯとは混在して配列してもよく、ＥＯとＰＯとがランダム状に付加していてもよく、ブロック状に付加していてもよい。
（ｂ２−１）成分において、ＥＯ又はＰＯの付加モル数分布は、（ｂ１）成分におけるＥＯ又はＰＯの付加モル数分布と同様である。
【００３３】
（ｂ２−１）成分としては、例えば、三菱化学株式会社製のＤｉａｄｏｌ（商品名、Ｃ１３）、Ｓｈｅｌｌ社製のＮｅｏｄｏｌ（商品名、Ｃ１２とＣ１３との混合物）、Ｓａｓｏｌ社製のＳａｆｏｌ２３（商品名、Ｃ１２とＣ１３との混合物）等のアルコールに対して、１２モル相当又は１５モル相当のエチレンオキシドを付加したもの；プロクター・アンド・ギャンブル社製のＣＯ−１２１４（商品名）又はＣＯ−１２７０（商品名）等の天然アルコールに対して、１２モル相当又は１５モル相当のエチレンオキシドを付加したもの；炭素数１２〜１４の第２級アルコールに対して、１５モル相当のエチレンオキシドを付加したもの（商品名：ソフタノール１５０、株式会社日本触媒製）、ヤシ脂肪酸メチル（ラウリン酸／ミリスチン酸（質量比）＝８／２）に対して、アルコキシル化触媒を用いて、１５モル相当の酸化エチレンを付加したもの（ポリオキシエチレンヤシ脂肪酸メチルエステル（ＥＯ１５モル））等が挙げられる。
【００３４】
Ｒ１３−Ｏ−［（ＥＯ）ｐ／（ＰＯ）ｑ］−（ＥＯ）ｒ−Ｈ    ・・・（ＩＩ−３）
［（ＩＩ−３）式中、Ｒ１３は炭素数８〜１８のアルキル基又はアルケニル基である。ｐはＥＯの平均繰返し数を表し、ｑはＰＯの平均繰返し数を表し、ｒはＥＯの平均繰返し数を表し、ｐ、ｑ、ｒはｐ＞１、ｒ＞１、０＜ｑ≦３、ｐ＋ｒ＝１０〜２０を満たす数である。ＥＯはオキシエチレン基、ＰＯはオキシプロピレン基を表し、（ＥＯ）ｐ／（ＰＯ）ｑにおけるＥＯとＰＯとは混在していてもよい。］
【００３５】
（ＩＩ−３）式中、Ｒ１３は、直鎖であっても分岐鎖であってもよい。
（ＩＩ−３）式中、ＥＯとＰＯとの比率は、ｑ／（ｐ＋ｒ）で表される比で０．１〜０．５であることが好ましく、より好ましくは０．１〜０．３である。上記下限値以上であると、洗浄力がより高まる。上記上限値以下であると、適度な粘度が得られやすくなり、ゲル化が抑制されやすい。
（ＥＯ）ｐ／（ＰＯ）ｑにおけるＥＯとＰＯとは、いずれか一方のみが存在していてもよく、混在していてもよく、ＥＯとＰＯとがランダム状に付加していてもよく、ブロック状に付加していてもよい。
【００３６】
（ｂ２−２）成分は、従来公知の方法で製造することができる。例えば、天然油脂から誘導されたＲ１３を有するアルコールに対して、エチレンオキシド、プロピレンオキシドの順に付加反応した後、又はエチレンオキシドとプロピレンオキシドとを混合付加（ランダム付加）した後、再度、エチレンオキシドを付加して製造できる。
（ｂ２−２）成分を用いると、液体洗浄剤は適度な粘度が得られやすくなり、ゲル化も抑制される。また、洗浄力がより高まり、生分解性もより良好になる。
【００３７】
（ｂ２）成分の中でも、洗浄力の点から（ｂ２−１）成分が好ましく、（ＩＩ−２）式中、Ｘ１がＯで炭素数１２〜１４の第２級アルコールに対して、１５モル相当のエチレンオキシドを付加したもの（ソフタノール１５０（商品名）、株式会社日本触媒製）、（ＩＩ−２）式中、Ｘ１がＣＯＯの脂肪酸エステル型ノニオン界面活性剤が好ましく、より好ましくは脂肪酸エステル型ノニオン界面活性剤である。
なお、（ｂ２）成分は、（ｂ１）成分と併有されていなくてもよい。
【００３８】
（ｂ１）成分と（ｂ２）成分とを併有する場合、（ｂ１）成分／（ｂ２）成分で表される質量比（以下、ｂ１／ｂ２比ということがある）は、０．０１〜１．５が好ましく、０．０８〜０．４がより好ましい。ｂ１／ｂ２比が上記範囲内であれば、（ｂ１）成分による浸透性の向上と、（ｂ２）成分による洗浄力とのバランスが取れ、液体洗浄剤の洗浄力をさらに高められる。
【００３９】
液体洗浄剤中の（Ｂ）成分の含有量は、1０〜８０質量％が好ましく、２０〜７０質量％がより好ましく、３５〜６０質量％がさらに好ましい。上記下限値以上であれば（Ａ）成分を十分に可溶化することができ、十分な洗浄力を発揮できる。上記上限値以下であれば、低温下での液安定性を高められる。
【００４０】
液体洗浄剤中、（Ａ）成分／（Ｂ）成分で表される質量比（以下、Ａ／Ｂ比ということがある）は、０．０２〜０．２が好ましく、０．０５〜０．１がより好ましい。上記下限値以上であれば、増白効果がより高まり、上記下限値未満であれば洗浄力がより高まる。
【００４１】
＜（Ｃ）成分：蛍光増白剤＞
（Ｃ）成分は、蛍光増白剤である。液体洗浄剤は、（Ｃ）成分を含有することで、増白効果を発揮する。
（Ｃ）成分としては、従来、液体洗浄剤に配合されているものであればよく、例えば、下記一般式（ＩＩＩ−１）で表される４，４’−ビス（２−スルホスチリル）ビフェニルジナトリウム塩（例えば、Ｔｉｎｏｐａｌ−ＣＢＳ−Ｘ（商品名、日本チバ・ガイギー株式会社製））等のビフェニル型の蛍光増白剤、下記一般式（ＩＩＩ−２）で表される４，４’−ビス（（４−アミノ−６−モルホリノ−１，３，５−トリアジニル−２）アミノ）スチルベン−２，２’−ジスルホン酸塩（例えば、Ｔｉｎｏｐａｌ−ＡＭＳ−ＧＸ（商品名、日本チバ・ガイギー株式会社製）等）等のスチルベン型の蛍光増白剤が好適な（Ｃ）成分として挙げられる。これらの（Ｃ）成分は、１種単独で用いられてもよいし、２種以上が組み合わされて用いられてもよい。
【００４２】
【化１】
2013256654.tif 000002
【００４３】
【化２】
2013256654.tif 000003
【００４４】
液体洗浄剤中の（Ｃ）成分の含有量は、特に限定されないが、例えば、０．０５〜１質量％が好ましく、０．１〜０．５質量％がより好ましい。上記下限値未満では、増白効果が不十分になるおそれがあり、上記上限値超では、液安定性が低下するおそれがある。
【００４５】
液体洗浄剤中、（Ｃ）成分／（Ａ）成分で表される質量比（以下、Ｃ／Ａ比ということがある）は、例えば、０．００５〜１が好ましく、０．０２５〜０．０５がより好ましい。上記範囲内であれば、増白効果をより高められる。
【００４６】
＜（Ｄ）成分：アニオン界面活性剤及び芳香族化合物から選択される１種以上＞
本発明の液体洗浄剤は、（Ｄ）成分：アニオン界面活性剤（以下、（ｄ１）成分ということがある）及び芳香族化合物（以下、（ｄ２）成分ということがある）から選択される１種以上を含有できる。液体洗浄剤は、（Ｄ）成分を含有することで、繊維製品に吸着した（Ｃ）成分の蛍光強度を高めて、増白効果をさらに高められる。
【００４７】
（ｄ１）成分としては、特に限定されず、例えば、直鎖アルキルベンゼンスルホン酸又はその塩；α−オレフィンスルホン酸塩；直鎖又は分岐鎖のアルキル硫酸エステル塩；アルキルエーテル硫酸エステル塩又はアルケニルエーテル硫酸エステル塩；アルキル基を有するアルカンスルホン酸塩；α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルキルエーテル硫酸エステル塩又はアルケニルエーテル硫酸エステル塩としては、炭素数１０〜２０の直鎖又は分岐鎖のアルキル基もしくはアルケニル基を有し、平均１〜１０モルのエチレンオキシドを付加したもの（即ち、ポリオキシエチレンアルキルエーテル硫酸エステル塩又はポリオキシエチレンアルケニルエーテル硫酸エステル塩）が好ましい。
アルカンスルホン酸塩としては、アルキル基の炭素数が１０〜２０のものが好ましく、１４〜１７のものがより好ましい。中でも、該アルキル基が２級アルキル基であるもの（即ち、２級アルカンスルホン酸塩）が特に好ましい。
α−スルホ脂肪酸エステル塩としては、脂肪酸残基の炭素数が１０〜２０のものが好ましい。
これらの（ｄ１）成分の中でも、直鎖アルキルベンゼンスルホン酸又はその塩、アルカンスルホン酸塩、ポリオキシエチレンアルキルエーテル硫酸エステル塩、及びα−オレフィンスルホン酸塩から選ばれる少なくとも１種が特に好ましい。
【００４８】
（ｄ１）成分として、上記以外の他のアニオン界面活性剤を用いてもよい。該他のアニオン界面活性剤としては、例えば、炭素数１０〜２０の高級脂肪酸塩、アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン界面活性剤等が挙げられる。これらの（ｄ１）成分は、市場において容易に入手できる。
【００４９】
（ｄ２）成分としては、フェノキシエタノール、フェニルジグリコール等の芳香族アルコール、安息香酸、ｐ−トルエンスルホン酸等が挙げられ、中でも、芳香族アルコールが好ましく、フェノキシエタノール、フェニルジグリコールがより好ましい。
【００５０】
これらの（Ｄ）成分は、１種単独で用いられてもよいし、２種以上が組み合わされて用いられてもよい。
【００５１】
液体洗浄剤中の（Ｄ）成分の含有量は、０．５〜１５質量％が好ましく、１〜１０質量％がより好ましく、１〜５質量％がさらに好ましい。上記下限値未満では、増白効果のさらなる向上を図れないおそれがあり、上記上限値超では、液安定性が低下するおそれがある。
【００５２】
＜その他の任意成分＞
液体洗浄剤は、本発明の効果を阻害しない範囲で、酵素、（ｄ２）成分以外の水混和性有機溶媒、カチオン界面活性剤、両性界面活性剤、減粘剤又は可溶化剤、アルカリ剤、金属イオン捕捉剤、酸化防止剤、風合向上剤、再汚染防止剤、パール剤、ソイルリリース剤、酵素、着香剤、着色剤、乳濁化剤、エキス類、ｐＨ調整剤等の任意成分を含有してもよい。
【００５３】
水混和性有機溶媒は、２５℃の水１Ｌに５０ｇ以上溶解する有機溶媒である。水混和性有機溶媒としては、例えば、エチレングリコール、プロピレングリコール、ブチレングリコール、ヘキシレングリコール、エチレングリコールとプロピレングリコールとの共重合体等の炭素数２〜６のアルキレングリコール類；エタノール、メタノール、プロパノール、ブタノール等のアルコール類；ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、ジプロピレングリコールモノブチルエーテル、ジエチレングリコールモノブチルエーテル、ジエチレングリコールジブチルエーテル、プロピレングリコールモノブチルエーテル、ジエチレングリコールモノヘキシルエーテル、ジエチレングリコール−モノ２−エチルへキシルエーテル、トリエチレングリコールモノブチルエーテル、オキシエチレン・ジオキシプロピレングリコールモノブチルエーテル等の（ポリ）アルキレングリコール（モノ又はジ）アルキルエーテル；エチレングリコールモノフェニルエーテル、ジエチレングリコールモノフェニルエーテル、トリエチレングリコールモノフェニルエーテル、エチレングリコールモノベンジルエーテル、ジエチレングリコールモノベンジルエーテル等の芳香族エーテル類等が挙げられる。中でも、溶解性、低温保管時の液安定性の向上の点からから、エタノール、プロピレングリコール、ジエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、ジプロピレングリコールモノブチルエーテル、ジエチレングリコールモノブチルエーテル、ジエチレングリコールジブチルエーテル、プロピレングリコールモノブチルエーテル、ジエチレングリコールモノヘキシルエーテル、ジエチレングリコール−モノ２−エチルへキシルエーテル、トリエチレングリコールモノブチルエーテル、オキシエチレン・ジオキシプロピレングリコールモノブチルエーテルがより好ましい。
これらの水混和性有機溶剤は、１種単独で用いられてもよいし、２種以上が組み合わされて用いられてもよい。
液体洗浄剤中の水混和性有機溶剤の含有量は、３〜３０質量％が好ましく、５〜２０質量％がより好ましく、７〜１５％がさらに好ましい。上記範囲内あれば、溶解性、液安定性のさらなる向上が図れる。
【００５４】
カチオン界面活性剤としては、従来公知のカチオン界面活性剤を用いることができ、例えば、（１）ジ長鎖アルキルジ短鎖アルキル型４級アンモニウム塩；（２）モノ長鎖アルキルトリ短鎖アルキル型４級アンモニウム塩；（３）トリ長鎖アルキルモノ短鎖アルキル型４級アンモニウム塩等が挙げられる。
これら（１）〜（３）における「長鎖アルキル」は、炭素数１０〜２６のアルキル基を示す。該アルキル基の炭素数は１２〜１８が好ましい。
「短鎖アルキル」は、置換基を有していてもよい炭素数１〜４のアルキル基を示す。該アルキル基の炭素数は１又は２が好ましい。該アルキル基が有していてもよい置換基としては、フェニル基、ベンジル基、水酸基、ヒドロキシアルキル基、ポリオキシアルキレン基等が挙げられる。ヒドロキシアルキル基の炭素数は２〜４が好ましく、２又は３がより好ましい。ポリオキシアルキレン基におけるアルキレン基の炭素数は２〜４が好ましく、２又は３がより好ましい。
液体洗浄剤中のカチオン界面活性剤の含有量は、特に限定されないが、０．０１〜３０質量％が好ましく、０．１〜２０質量％がより好ましい。上記範囲内であれば、衣類を洗浄した際に、衣類に良好な柔軟性を与えられる。
【００５５】
両性界面活性剤としては、従来公知の両性界面活性剤を用いることができ、例えば、アルキルベタイン型、アルキルアミドベタイン型、イミダゾリン型、アルキルアミノスルホン型、アルキルアミノカルボン酸型、アルキルアミドカルボン酸型、アミドアミノ酸型、リン酸型両性界面活性剤等が挙げられる。
液体洗浄剤中の両性界面活性剤の含有量は、例えば、０．１〜１５質量％が好ましい。
【００５６】
減粘剤又は可溶化剤は、液体洗浄剤がゲル化して、液表面に皮膜が形成されるのを抑制する。減粘剤又は可溶化剤としては、例えば、トルエンスルホン酸、キシレンスルホン酸、クメンスルホン酸、置換もしくは非置換ナフタレンスルホン酸等の芳香族スルホン酸及びその塩等が挙げられる。芳香族スルホン酸塩としては、ナトリウム塩、カリウム塩、カルシウム塩、マグネシウム塩、アンモニウム塩又はアルカノールアミン塩等が挙げられる。
減粘剤又は可溶化剤は、１種単独で用いられてもよいし、２種以上が組み合わされて用いられてもよい。
液体洗浄剤中の減粘剤又は可溶化剤の含有量は、０．０１〜１５質量％が好ましい。上記範囲内であれば、液体洗浄剤の液表面における皮膜形成を良好に抑制できる。
【００５７】
アルカリ剤としては、例えば、モノエタノールアミン、ジエタノールアミン、トリエタノールアミン等のアルカノールアミンが挙げられる。
アルカリ剤は、１種単独で用いられてもよいし、２種以上が組み合わされて用いられてもよい。
液体洗浄剤中のアルカリ剤の含有量は０．５〜５質量％が好ましい。
【００５８】
金属イオン捕捉剤としては、例えば、マロン酸、コハク酸、リンゴ酸、ジグリコール酸、酒石酸、クエン酸等が挙げられる。
金属イオン捕捉剤は、１種単独で用いられてもよいし、２種以上が組み合わされて用いられてもよい。
液体洗浄剤中の金属イオン捕捉剤の含有量は、０．１〜２０質量％が好ましい。
【００５９】
酸化防止剤としては、特に限定されないが、洗浄力と液安定性とが良好であることから、フェノール系酸化防止剤が好ましい。フェノール系酸化防止剤としては、ジブチルヒドロキシトルエン、ブチルヒドロキシアニソール、２，２’−メチレンビス（４−メチル−６−ｔ−ブチルフェノール、ｄｌ−α−トコフェロールが好ましく、ジブチルヒドロキシトルエン、ｄｌ−α−トコフェロールがより好ましい。
酸化防止剤は、１種単独で用いられてもよいし、２種以上が組み合わされて用いられてもよい。
液体洗浄剤中の酸化防止剤の含有量は、０．０１〜２質量％が好ましい。
【００６０】
風合向上剤としては、例えば、ジメチルシリコーン、ポリエーテル変性シリコーン、アミノ変性シリコーン等のシリコーンが挙げられる。
液体洗浄剤中の風合向上剤の含有量は、０〜５質量％が好ましい。
【００６１】
移染防止剤又は再汚染防止剤としては、例えば、ポリビニルピロリドン、カルボキシメチルセルロース等が挙げられる。
液体洗浄剤中の移染防止剤又は再汚染防止剤の含有量は、０〜２質量％が好ましい。
【００６２】
酵素としては、例えば、プロテアーゼ、リパーゼ、セルラーゼ等が挙げられる。
【００６３】
着香剤としては、特に限定されず、例えば、特開２００２−１４６３９９号公報の表１１〜１８に記載の香料組成物Ａ〜Ｄ等が挙げられる。
液体洗浄剤中の着香剤の含有量は、０．１〜１質量％が好ましい。
【００６４】
着色剤としては、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料が挙げられる。
液体洗浄剤中の着色剤の含有量は、０．００００５〜０．００５質量％が好ましい。
【００６５】
乳濁化剤としては、ポリスチレンエマルション、ポリ酢酸ビニルエマルション等が挙げられ、通常、固形分３０〜５０質量％のエマルションが好適に用いられる。このようなエマルション型の乳濁化剤としては、ポリスチレンエマルション（商品名：サイビノールＲＰＸ−１９６  ＰＥ−３、固形分４０質量％、サイデン化学株式会社製）等が挙げられる。
液体洗浄剤中の乳濁化剤の含有量は、０．０１〜０．５質量％が好ましい。
【００６６】
エキス類としては、例えば、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキス等が挙げられる。
液体洗浄剤中のエキス類の含有量は、０〜０．５質量％が好ましい。
【００６７】
ｐＨ調整剤としては、例えば、硫酸、塩酸等の酸性化合物；モノエタノールアミン、ジエタノールアミン、トリエタノールアミン等のアルカノールアミン、水酸化ナトリウム、水酸化カリウム等のアルカリ性化合物が挙げられ、中でも、液安定性の面から、硫酸、水酸化ナトリウム、水酸化カリウム、アルカノールアミンが好ましく、硫酸、水酸化ナトリウムがより好ましい。これらのｐＨ調整剤は、１種単独で用いられてもよいし、２種以上が組み合わされて用いられてもよい。
ただし、ｐＨ調整剤を除く成分のみで所望のｐＨの液体洗浄剤が得られる場合は、必ずしもｐＨ調整剤を用いる必要はない。
【００６８】
（液体洗浄剤の製造方法）
本発明の液体洗浄剤の製造方法としては、（Ａ）〜（Ｃ）成分を水等の分散媒に分散するものが挙げられる。例えば、任意成分及び（Ｄ）成分を分散媒である水の一部に分散し、任意のｐＨに調整し、次いで、（Ａ）成分及び（Ｂ）成分を分散する。その後、別途調製した（Ｃ）成分の水分散液を加え、水の残部を加えて、液体洗浄剤を得る。
【００６９】
（液体洗浄剤の使用方法）
本発明の液体洗浄剤の使用方法（洗浄方法）は、一般的な液体洗浄剤の使用方法と同様である。例えば、液体洗浄剤を被洗浄物と共に水に入れ、洗濯機で洗浄する方法、液体洗浄剤を被洗浄物に直接塗布する方法、洗浄剤を水に溶解して洗浄液とし、この洗浄液に被洗浄物を浸漬する方法等が挙げられる。また、液体洗浄剤を被洗浄物に塗布し、適宜放置した後、洗濯液機等を用いて洗浄してもよい。
被洗浄物である繊維製品としては、例えば、衣料、布巾、シーツ、カーテン等の繊維製品が挙げられ、中でも、衣料が好ましい。
【００７０】
上述したように、本発明の液体洗浄剤によれば、（Ｂ）成分を含有するために、洗浄力に優れ、（Ｃ）成分を含有するために、増白効果を発揮する。
加えて、（Ａ）成分を含有するために、繊維製品への（Ｃ）成分の吸着を促進して増白効果を高められ、かつ（Ｂ）成分の汚れへの浸透性を高めて洗浄力をより高められる。
【実施例】
【００７１】
以下、実施例を示して本発明を詳細に説明するが、本発明は以下の記載によって限定されるものではない。
【００７２】
（使用原料）
＜（Ａ）成分：（Ｉ）式で表される化合物＞
Ａ−１：カプリル酸２−エチルヘキシル（２Ｈ−０８）、パステル２Ｈ−０８（商品名）、ライオン株式会社製。
Ａ−２：カプリン酸２−エチルヘキシル（２Ｈ−１０）、下記合成方法により合成したもの。
【００７３】
≪Ａ−２の合成方法≫
５Ｌの四つ口フラスコに、カプリン酸メチルエステル（ライオン株式会社製、商品名；パステルＭ１０）１７００ｇと、２エチルヘキサノール１４２５ｇと、触媒としてｐ−トルエンスルホン酸（関東化学株式会社製）１７ｇとを仕込み、窒素置換を行った。その後、窒素を１ｍＬ／秒の流量で流通させながら、液温を１４０℃まで昇温してエステル化反応を行い、反応により生成した水を蒸留により除去した。水を除去した後、０．６ｋＰａまで徐々に減圧しながら２００℃になるまで昇温して粗製物を得た。次いで、粗製物１５００ｇに対し、濾過助剤としてハイフロスーパーセル（商品名、ナカライテスク株式会社製）を２２．５ｇ（粗製物１００質量部に対し１．５質量部）添加し、１０分攪拌して均一に分散させた後、８０℃で加圧濾過して、カプリン酸２−エチルヘキシルを得た。
【００７４】
＜（Ａ’）成分：（Ａ）成分の比較品＞
Ａ’−１：流動パラフィン、関東化学株式会社製。
【００７５】
＜（Ｂ）成分＞
Ｂ−１：ヤシ脂肪酸メチル（質量比でラウリン酸メチル／ミリスチン酸メチル＝８／２の混合物）に対して、アルコキシル化触媒を用いて、１５モル相当のエチレンオキシドを付加したもの［ＭＥＥ（Ｃ１２／１４−１５ＥＯ）、（ｂ２−１）成分に相当。］、合成品。以下のようにして合成した。
【００７６】
≪Ｂ−１の合成方法≫
特開２０００−１４４１７９号公報に記載の合成方法（サンプルＤに対応するもの）に準じて合成した。
組成が２．５ＭｇＯ・Ａｌ２Ｏ３・ｎＨ２Ｏである水酸化アルミナ・マグネシウム（商品名：キョーワード３３０、協和化学工業株式会社製）を６００℃で１時間、窒素雰囲気下で焼成して得られた焼成水酸化アルミナ・マグネシウム（未改質）触媒２．２ｇと、０．５Ｎ水酸化カリウムエタノール溶液２．９ｍＬと、ラウリン酸メチルエステル２８０ｇと、ミリスチン酸メチルエステル７０ｇとを４Ｌオートクレーブに仕込み、オートクレーブ内で触媒の改質を行った。次いで、オートクレーブ内を窒素で置換した後、昇温を行い、温度を１８０℃、圧力を３×１０５Ｐａに維持しつつ、エチレンオキシド１０５２ｇを導入し、攪拌しながら反応させた。さらに、反応液を８０℃に冷却し、水１５９ｇと、濾別助剤として活性白土及び珪藻土をそれぞれ５ｇとを添加した後、触媒を濾別し、ＭＥＥ（Ｃ１２／１４−１５ＥＯ）を得た。
【００７７】
Ｂ−２：天然アルコール（商品名：ＣＯ−１２１４、プロクター・アンド・ギャンブル社製）に１５モル相当のエチレンオキシドが付加したもの［ＬＭＡＯ（Ｃ１２／１４−１５ＥＯ）］、合成品、（ｂ２−１）成分に相当。以下のようにして合成した。
【００７８】
≪Ｂ−２の合成≫
ＣＯ−１２１４（商品名）８６１．２ｇと、３０質量％ＮａＯＨ水溶液２．０ｇとを耐圧型反応容器中に採取し、容器内を窒素置換した。次に、温度１００℃、圧力２．０ｋＰａ以下で３０分間脱水した後、温度を１６０℃まで昇温した。次いで、反応液を攪拌しながら、エチレンオキシド（ガス状）７６０．６ｇを反応液中に徐々に加えた。この時、吹き込み管を使って、反応温度が１８０℃を超えないように添加速度を調節しながら加えた。エチレンオキシドの添加終了後、温度１８０℃、圧力０．３ＭＰａ以下で３０分間熟成した後、温度１８０℃、圧力６．０ｋＰａ以下で１０分間、未反応のエチレンオキシドを留去した。次に、温度を１００℃以下まで冷却した後、反応物の１質量％水溶液のｐＨが約７になるように、７０質量％ｐ−トルエンスルホン酸を加えて中和し、ＬＭＡＯ（Ｃ１２／１４−１５ＥＯ）を得た。
【００７９】
Ｂ−３：ソフタノール３０（商品名）、炭素数１２〜１４の第２級アルコールに対して、３モル相当のエチレンオキシドを付加したもの、（ｂ１）成分に相当、株式会社日本触媒製。表中、ＡＥ（Ｃ１２−３ＥＯ）と記載。
【００８０】
Ｂ−４：Ｌｕｔｅｎｓｏｌ  ＸＬ７０（商品名）、ペンタノールをガーベット反応に供して得られるＣ１０アルコールに対して、７モル相当のエチレンオキシドを付加したもの、（ｂ１）成分に相当、ＢＡＳＦ社製。表中、ＡＥ（Ｃ１０−７ＥＯ）と記載。
【００８１】
＜（Ｃ）成分＞
Ｃ−１：Ｔｉｎｏｐａｌ−ＣＢＳ−Ｘ（商品名。表中、ＣＢＳと記載）、日本チバ・ガイギー株式会社製。
Ｃ−２：Ｔｉｎｏｐａｌ−ＡＭＳ−ＧＸ（商品名。表中、ＡＭＳと記載）、日本チバ・ガイギー株式会社製。
【００８２】
＜（Ｄ）成分＞
Ｄ−１：直鎖アルキルベンゼンスルホン酸（ＬＡＳ−Ｈ）、ライポンＬＨ−２００（商品名）、炭素数１０〜１４、平均分子量３２２、ライオン株式会社製。
Ｄ−２：フェノキシエタノール、日本乳化剤株式会社製。
Ｄ−３：フェニルジグリコール、日本乳化剤株式会社製。
【００８３】
＜その他の任意成分＞
パラトルエンスルホン酸（ＰＴＳ）：ＰＴＳ酸（商品名）、協和発酵キリン株式会社製。
ブチルカルビトール：日本乳化剤株式会社製。
ポリエチレングリコール：ＰＥＧ１０００（商品名）、ライオン株式会社製。
エタノール：特定アルコール９５度合成（商品名）、日本アルコール販売株式会社製。
モノエタノールアミン（ＭＥＡ）：株式会社日本触媒製。
【００８４】
（評価方法）
＜増白効果＞
５ｃｍ×５ｃｍのポリエステルトロピカル（白色、谷頭商店）に各例の液体洗浄剤５００μＬを塗布し、５分間、室温（２５℃）で放置して増白評価布とした。その後、Ｔｅｒｇ−Ｏ−ｔｏｍｅｔｅｒに、水１Ｌと増白評価布とを入れ、２５℃で２分間、６０ｒｐｍで攪拌して、増白評価布をすすいだ。すすいだ後の増白評価布を取り出し、これを乾燥した。乾燥した増白評価布にブラックライトを照射し、１０人のパネラが下記評価基準に従って評価した。１０人のパネラの評価点の平均点を算出し、３点以上を「◎」、２．５点以上３点未満を「○」、２点以上２．５点未満を「△」、２点未満を「×」とした。評価点が高いほど、増白効果が高い（見た目に白く見える）といえる。
【００８５】
≪評価基準≫
４点：よく光っている。
３点：光っている。
２点：やや光っている。
１点：光っていない。
【００８６】
＜洗浄力＞
ポリエステル製の襟布を肌シャツに付け、この肌シャツを男性５名が３日間着用して、襟布に汚垢を付着させ、汚垢が付着した襟布を洗浄力評価布とした。Ｔｅｒｇ−Ｏ−ｔｏｍｅｔｅｒに、各例の液体洗浄剤３３３μＬと水１Ｌと洗浄力評価布（５ｃｍ×５ｃｍ）とを入れ、２５℃で１０分間、１２０ｒｐｍで攪拌して、洗浄力評価布を洗浄した。次いで、洗浄した洗浄力評価布と水１Ｌとを新たにＴｅｒｇ−Ｏ−ｔｏｍｅｔｅｒに入れ、２５℃で３分間、１２０ｒｐｍで攪拌して、洗浄力評価布をすすいだ。すすいだ後の洗浄力評価布を取り出し、これを乾燥して（以上、洗濯操作）、評価対象布とした。
別途、各例の液体洗浄剤に換えて、標準ノニオン界面活性剤（ラウリルアルコール１モル当たりに平均１５モルのエチレンオキシドを付加したアルコールエトキシレート）の２０質量％水溶液１２ｍＬを液体洗浄剤とした以外は、上記の洗濯操作と同様にして洗浄力評価布を処理し、評価基準布を得た。
得られた評価対象布と、評価基準布とを１０人のパネラが目視で比較し、下記評価基準に従って評価した。１０人のパネラの評価点の平均点を算出し、３点以上を「◎」、２．５点以上３点未満を「○」、２点以上２．５点未満を「△」、２点未満を「×」とした。
【００８７】
≪評価基準≫
４点：評価対象布が評価基準布よりかなり白い。
３点：評価対象布が評価基準布より白い。
２点：評価対象布が評価基準布よりやや白い。
１点：評価対象布と評価基準布とが同等の白さである。
【００８８】
（実施例１〜１５、比較例１〜４）
表１〜２の組成に従い、５００ｍＬビーカーに、任意成分、（Ｄ）成分及びイオン交換水の一部を入れ、攪拌すると共に、表中のｐＨになるようにｐＨ調整剤（水酸化ナトリウム又は塩酸）を添加した。ｐＨ調整に用いたｐＨ調整剤の総量は、０〜２質量％であった。次いで、（Ａ）成分又は（Ａ’）成分と（Ｂ）成分とを加え、攪拌した。別途、（Ｃ）成分の１０質量％水分散液を調製し、これをビーカー内に投入し、さらに攪拌した。その後、イオン交換水の残部を加えて、全体量が１００質量％となるようにして、各例の液体洗浄剤を得た。得られた液体洗浄剤について、増白効果、洗浄力を評価し、その結果を表中に示す。
なお、表中に配合量が記載されていない成分は、配合されていないものとする。
【００８９】
【表１】
2013256654.tif 000004
【００９０】
【表２】
2013256654.tif 000005
【００９１】
表１〜２に示すように、本発明を適用した実施例１〜１５は、増白効果が「△」〜「◎」であり、洗浄力が「○」又は「◎」であった。中でも、（Ｂ）成分として、Ｂ−１成分と、Ｂ−３成分又はＢ−４成分とを併有する実施例５〜６は、実施例１に比べて洗浄力が高まっていた。また、（Ｄ）成分を含有する実施例１３〜１５は、実施例１に比べて、増白効果が高まっていた。
一方、（Ｃ）成分を含有しない比較例１、（Ａ）成分に換えて（Ａ’）成分を含有する比較例２、（Ａ）成分を含有しない比較例３〜４は、いずれも増白効果が「×」、洗浄力が「△」であった。
これらの結果から、本発明を適用することで、増白効果を高められることが判った。